【手続補正書】
【提出日】平成24年5月9日(2012.5.9)
【手続補正１】
【補正対象書類名】特許請求の範囲
【補正対象項目名】全文
【補正方法】変更
【補正の内容】
【特許請求の範囲】
【請求項１】
ＧＳＭ／ＥＤＧＥ無線アクセスネットワーク（ＧＥＲＡＮ）を用いてセルラ無線システムにアクセスするユーザ機器に、地震津波警報システムの通報メッセージを提供する基地局サブシステムにおける方法において、
緊急センタから地震津波警報システムの通報を受信する工程（３０１）と、
もし、前記ユーザ機器がＧＥＲＡＮ専用モードにあるなら高速付随制御チャネル（ＦＡＣＣＨ）により、また、前記ユーザ機器がＧＥＲＡＮパケット転送モードにあるならパケット付随制御チャネル（ＰＡＣＣＨ）により、前記メッセージの影響を受けるエリアに位置する前記ユーザ機器に対して、前記地震津波警報システムの通報を送信する工程（３０３）とを有することを特徴とする方法。
【請求項２】
前記地震津波警報システムの通報は、前記ユーザ機器が専用動作モードにあるなら、アプリケーション情報メッセージとともに送信されることを特徴とする請求項１に記載の方法。
【請求項３】
前記ユーザ機器がパケット転送モードにあるなら、前記地震津波警報システムの通報を含めた制御メッセージが送信されることを特徴とする請求項１に記載の方法。
【請求項４】
前記ユーザ機器が専用動作モードにあるなら、前記地震津波警報システムの通報を含めた制御メッセージが送信されることを特徴とする請求項１に記載の方法。
【請求項５】
前記ユーザ機器が専用動作モードにあるなら、前記地震津波警報システムの通報が、ポイント−ツウ−ポイントのショートメッセージサービス（ＳＭＳ）メッセージで前記ＦＡＣＣＨにより送信されることを特徴とする請求項１に記載の方法。
【請求項６】
前記ユーザ機器がパケット転送動作モードにあるなら、前記地震津波警報システムの通報はパケットページング要求を送信することにより送信され、前記ユーザ機器に強制的に地震津波警報を送信している制御チャネルを聴取させることを特徴とする請求項１に記載の方法。
【請求項７】
前記ユーザ機器がパケット転送動作モードにあるなら、前記地震津波警報システムの通報はパケットの一時的ブロックフロー（ＴＢＦ）解放メッセージを送信することにより送信され、前記ユーザ機器に強制的に地震津波警報を送信している制御チャネルを聴取させることを特徴とする請求項１に記載の方法。
【請求項８】
前記ユーザ機器がパケット転送動作モードにあるなら、制御メッセージが前記ユーザ機器に送信されて、前記地震津波警報システムの通報を前記ユーザ機器に通知し、これにより、前記ユーザ機器は強制的に地震津波警報を送信している制御チャネルを聴取させられることを特徴とする請求項１に記載の方法。
【請求項９】
ＧＳＭ／ＥＤＧＥ無線アクセスネットワーク（ＧＥＲＡＮ）を用いてセルラ無線システムにアクセスするユーザ機器に、地震津波警報システムの通報メッセージを提供するよう適合された基地局サブシステムにおいて、前記基地局サブシステムは、
緊急センタから地震津波警報システムの通報を受信する手段（１６）と、
もし、前記ユーザ機器がＧＥＲＡＮ専用モードにあるなら高速付随制御チャネル（ＦＡＣＣＨ）により、また、前記ユーザ機器がＧＥＲＡＮパケット転送モードにあるならパケット付随制御チャネル（ＰＡＣＣＨ）により、前記メッセージの影響を受けるエリアに位置する前記ユーザ機器に対して、前記地震津波警報システムの通報を送信する手段（１８）とを有することを特徴とする基地局サブシステム。
【請求項１０】
前記ユーザ機器が専用動作モードにあるなら、前記地震津波警報システムの通報を、アプリケーション情報メッセージとともに送信する手段をさらに有することを特徴とする請求項９に記載の基地局サブシステム。
【請求項１１】
前記ユーザ機器がパケット転送モードにあるなら、前記地震津波警報システムの通報を含む制御メッセージを送信する手段をさらに有することを特徴とする請求項９に記載の基地局サブシステム。
【請求項１２】
前記ユーザ機器が専用動作モードにあるなら、前記地震津波警報システムの通報を含む制御メッセージを送信する手段をさらに有することを特徴とする請求項９に記載の基地局サブシステム。
【請求項１３】
前記ユーザ機器が専用動作モードにあるなら、前記地震津波警報システムの通報を、ポイント−ツウ−ポイントのショートメッセージサービス（ＳＭＳ）メッセージで前記ＦＡＣＣＨにより送信する手段をさらに有することを特徴とする請求項９に記載の基地局サブシステム。
【請求項１４】
前記ユーザ機器がパケット転送動作モードにあるなら、パケットページング要求を送信することにより、前記ユーザ機器に強制的に地震津波警報を送信している制御チャネルを聴取させて、前記地震津波警報システムの通報を送信する手段をさらに有することを特徴とする請求項９に記載の基地局サブシステム。
【請求項１５】
前記ユーザ機器がパケット転送動作モードにあるなら、パケットの一時的ブロックフロー（ＴＢＦ）解放メッセージを送信することにより、前記ユーザ機器に強制的に地震津波警報を送信している制御チャネルを聴取させて、前記地震津波警報システムの通報を送信する手段をさらに有することを特徴とする請求項９に記載の基地局サブシステム。
【請求項１６】
前記ユーザ機器がパケット転送動作モードにあるなら、制御メッセージを前記ユーザ機器に送信して、前記地震津波警報システムの通報を前記ユーザ機器に通知する手段をさらに有し、これにより、前記ユーザ機器に強制的に地震津波警報を送信している制御チャネルを聴取させることを特徴とする請求項９に記載の基地局サブシステム。
【請求項１７】
ＧＳＭ／ＥＤＧＥ無線アクセスネットワーク（ＧＥＲＡＮ）を用いてセルラ無線システムにアクセスするように適合されたユーザ機器において、
もし、前記ユーザ機器がＧＥＲＡＮ専用モードにあるなら高速付随制御チャネル（ＦＡＣＣＨ）により、また、前記ユーザ機器がＧＥＲＡＮパケット転送モードにあるならパケット付随制御チャネル（ＰＡＣＣＨ）により、地震津波警報システムの通報を受信する手段（６０１）を有することを特徴とするユーザ機器。
【請求項１８】
前記ユーザ機器が専用動作モードにあるなら、前記地震津波警報システムの通報を、アプリケーション情報メッセージにおいて受信する手段をさらに有することを特徴とする請求項１７に記載のユーザ機器。
【請求項１９】
前記ユーザ機器がパケット転送モードにあるなら、前記地震津波警報システムの通報を含む制御メッセージを受信する手段をさらに有することを特徴とする請求項１７に記載のユーザ機器。
【請求項２０】
前記ユーザ機器が専用動作モードにあるなら、前記地震津波警報システムの通報を含む制御メッセージを受信する手段をさらに有することを特徴とする請求項１７に記載のユーザ機器。
【請求項２１】
前記ユーザ機器が専用動作モードにあるなら、前記地震津波警報システムの通報を、ポイント−ツウ−ポイントのショートメッセージサービス（ＳＭＳ）メッセージで前記ＦＡＣＣＨにより受信する手段をさらに有することを特徴とする請求項１７に記載のユーザ機器。
【請求項２２】
前記ユーザ機器がパケット転送動作モードにあるなら、パケットページング要求を受信することにより、前記ユーザ機器は強制的に地震津波警報を送信している制御チャネルを聴取させられて、前記地震津波警報システムの通報を受信する手段をさらに有することを特徴とする請求項１７に記載のユーザ機器。
【請求項２３】
前記ユーザ機器がパケット転送動作モードにあるなら、パケットの一時的ブロックフロー（ＴＢＦ）解放メッセージを受信することにより、前記ユーザ機器は強制的に地震津波警報を送信している制御チャネルを聴取させられて、前記地震津波警報システムの通報を受信する手段をさらに有することを特徴とする請求項１７に記載のユーザ機器。
【請求項２４】
前記ユーザ機器がパケット転送動作モードにあるなら、前記地震津波警報システムの通報を前記ユーザ機器に通知している前記ユーザ機器への制御メッセージを受信する手段をさらに有し、これにより、前記ユーザ機器は強制的に地震津波警報を送信している制御チャネルを聴取させられることを特徴とする請求項１７に記載のユーザ機器。
【手続補正２】
【補正対象書類名】明細書
【補正対象項目名】発明の名称
【補正方法】変更
【補正の内容】
【発明の名称】ＧＥＲＡＮ  セルラ無線システムにおけるＥＴＷＳ通知メッセージの送信方法